(57)【要約】【課題】隣接する送受信ポイント（無線基地局）で異なるＤＬ／ＵＬ構成を適用する場合であっても、通信品質の劣化を抑制すること。【解決手段】ユーザ端末との間で時間分割複信により通信する複数の無線基地局がそれぞれ個別にＤＬ／ＵＬ構成を変動する無線通信システムにおける通信制御方法において、各無線基地局で無線フレームを構成するサブフレームのうち、ＤＬ及び／又はＵＬ伝送用に割り当てられるサブフレームの数及び位置を指定する制御信号を生成する工程と、前記制御信号を、前記無線フレームを構成する特定のサブフレームの下り制御チャネルで前記ユーザ端末に送信する工程とを具備することを特徴とする。【選択図】図３
2013251860.tif 000002
【特許請求の範囲】
【請求項１】
ユーザ端末との間で時間分割複信により通信する複数の無線基地局がそれぞれ個別にＤＬ／ＵＬ構成を変動する無線通信システムにおける通信制御方法であって、
各無線基地局で無線フレームを構成するサブフレームのうち、ＤＬ及び／又はＵＬ伝送用に割り当てられるサブフレームの数及び位置を指定する制御信号を生成する工程と、前記制御信号を、前記無線フレームを構成する特定のサブフレームの下り制御チャネルで前記ユーザ端末に送信する工程とを具備することを特徴とする通信制御方法。
【請求項２】
前記特定のサブフレームを予め定めておくことを特徴とする請求項１記載の通信制御方法。
【請求項３】
前記特定のサブフレームを上位レイヤシグナリングで前記ユーザ端末に通知することを特徴とする請求項１記載の通信制御方法。
【請求項４】
前記特定のサブフレームを報知信号で前記ユーザ端末に通知することを特徴とする請求項１記載の通信制御方法。
【請求項５】
前記制御信号に含まれる下り制御情報内のＤＬ  ａｓｓｉｇｎｍｅｎｔに、ＤＬ伝送用のサブフレームの数及び位置を指定することを特徴とする請求項１記載の通信制御方法。
【請求項６】
前記制御信号に含まれる下り制御情報内のＵＬ  ｇｒａｎｔに、ＵＬ伝送用のサブフレームの数及び位置を指定することを特徴とする請求項１又は請求項５記載の通信制御方法。
【請求項７】
ＤＬ及び／又はＵＬ伝送用に割り当てられるサブフレームの数及び位置を定めたテーブルに従って前記制御信号を生成することを特徴とする請求項１記載の通信制御方法。
【請求項８】
他の無線基地局からＤＬ／ＵＬ構成の変更を要求する変更要求信号を受信した場合に、当該変更要求信号で指定されるＤＬ／ＵＬ構成に応じて前記制御信号を生成することを特徴とする請求項１記載の通信制御方法。
【請求項９】
ユーザ端末との間で時間分割複信により通信する複数の無線基地局がそれぞれ個別にＤＬ／ＵＬ構成を変動する無線通信システムであって、
各無線基地局は、無線フレームを構成するサブフレームのうち、ＤＬ及び／又はＵＬ伝送用に割り当てられるサブフレームの数及び位置を指定する制御信号を生成する信号生成部と、前記制御信号を、前記無線フレームを構成する特定のサブフレームの下り制御チャネルで前記ユーザ端末に送信する送信部とを具備することを特徴とする無線通信システム。
【請求項１０】
ユーザ端末との間で時間分割複信により通信する複数の無線基地局がそれぞれ個別にＤＬ／ＵＬ構成を変動する無線通信システムにおける無線基地局であって、
無線フレームを構成するサブフレームのうち、ＤＬ及び／又はＵＬ伝送用に割り当てられるサブフレームの数及び位置を指定する制御信号を生成する信号生成部と、前記制御信号を、前記無線フレームを構成する特定のサブフレームの下り制御チャネルで前記ユーザ端末に送信する送信部とを具備することを特徴とする無線基地局。
【請求項１１】
ユーザ端末との間で時間分割複信により通信する複数の無線基地局がそれぞれ個別にＤＬ／ＵＬ構成を変動する無線通信システムにおけるユーザ端末であって、
前記無線基地局から、無線フレームに含まれる特定のサブフレームで送信される制御信号を受信する受信部と、前記制御信号から、前記無線フレームを構成するサブフレームのうち、ＤＬ及び／又はＵＬ伝送用に割り当てられるサブフレームの数及び位置を解析する解析部とを具備することを特徴とするユーザ端末。
【発明の詳細な説明】
【技術分野】
【０００１】
本発明は、セルラーシステム等に適用可能な通信制御方法、無線通信システム、無線基地局及びユーザ端末に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワークにおいては、周波数利用効率の向上、データレートの向上を目的として、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）やＨＳＵＰＡ（Ｈｉｇｈ  Ｓｐｅｅｄ  Ｕｐｌｉｎｋ  Ｐａｃｋｅｔ  Ａｃｃｅｓｓ）を採用することにより、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）をベースとしたシステムの特徴を最大限に引き出すことが行われている。このＵＭＴＳネットワークについては、更なる高速データレート、低遅延などを目的としてロングタームエボリューション（ＬＴＥ：Ｌｏｎｇ  Ｔｅｒｍ  Ｅｖｏｌｕｔｉｏｎ）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥシステムの後継のシステムも検討されている（例えば、ＬＴＥアドバンスト又はＬＴＥエンハンスメントと呼ぶこともある（以下、「ＬＴＥ−Ａ」という））。
【０００４】
無線通信において、上りリンク（ＵＬ）と下りリンク（ＤＬ）の複信形式として、上りリンクと下りリンクを周波数で分割する周波数分割複信（ＦＤＤ）と上りリンクと下りリンクを時間で分割する時間分割複信（ＴＤＤ）とがある。ＴＤＤの場合、上りリンクと下りリンクの送信に同じ周波数が適用され、一つの送信ポイントから上りリンクと下りリンクが時間で分けられて送信される。同じ周波数が上りリンクと下りリンクに用いられているため、送信ポイント（無線基地局）とユーザ端末は互いに送信と受信を交互に切り替える必要がある。
【０００５】
また、ＬＴＥシステムのＴＤＤにおいては、複数の異なる非対称の上り／下りリソース割当てに対応するフレーム構成（上りサブフレームと下りサブフレーム間の送信比率（ＤＬ／ＵＬ  ｃｏｎｆｉｇｕｒａｔｉｏｎ））が規定されている（図１参照）。ＬＴＥシステムにおいては、図１に示すように、ＤＬ／ＵＬ  ｃｏｎｆｉｇｕｒａｔｉｏｎ０〜６の７つのフレーム構成が規定されており、サブフレーム＃０と＃５は下りリンクに割当てられ、サブフレーム＃２は上りリンクに割当てられる。また、送信ポイント間（又はセル間）の干渉を回避するため、隣接する送信ポイント間では同じＤＬ／ＵＬ  ｃｏｎｆｉｇｕｒａｔｉｏｎ（ＤＬ／ＵＬ構成）が適用される。
【先行技術文献】
【非特許文献】
【０００６】
【非特許文献１】３ＧＰＰ，  ＴＲ２５．９１２  （Ｖ７．１．０），  "Ｆｅａｓｉｂｉｌｉｔｙ  ｓｔｕｄｙ  ｆｏｒ  Ｅｖｏｌｖｅｄ  ＵＴＲＡ  ａｎｄ  ＵＴＲＡＮ"，  Ｓｅｐｔ．  ２００６
【発明の概要】
【発明が解決しようとする課題】
【０００７】
しかしながら、ＬＴＥ−ＡシステムのＴＤＤにおいては、無線リソースの有効利用を図るために、送受信ポイント毎にＤＬとＵＬの送信比率を時間領域で動的（Ｄｙｎａｍｉｃ）又は半固定的（Ｓｅｍｉ−ｓｔａｔｉｃ）に変動すること、つまり、送受信ポイント毎に適用するＤＬ／ＵＬ構成を変動することが検討されている。隣接する送受信ポイント間で異なるＤＬ／ＵＬ構成が適用されると、同じ時間領域・周波数領域において、隣接する送受信ポイント間でＤＬサブフレームとＵＬサブフレームが同時に送信される場合（上り信号と下り信号が同時に送信される場合）が生じる。
【０００８】
この場合、各送受信ポイント（又は、ユーザ端末）の位置や送信電力に応じて、送受信ポイント間やユーザ端末間で干渉が生じ、通信品質の特性が劣化するおそれがある。
【０００９】
本発明はかかる点に鑑みてなされたものであり、隣接する送受信ポイント（無線基地局）で異なるＤＬ／ＵＬ構成を適用する場合であっても、通信品質の劣化を抑制することができる通信制御方法、無線通信システム、無線基地局及びユーザ端末を提供することを目的とする。
【課題を解決するための手段】
【００１０】
本発明の通信制御方法は、ユーザ端末との間で時間分割複信により通信する複数の無線基地局がそれぞれ個別にＤＬ／ＵＬ構成を変動する無線通信システムにおける無線通信制御方法であって、各無線基地局で無線フレームを構成するサブフレームのうち、ＤＬ及び／又はＵＬ伝送用に割り当てられるサブフレームの数及び位置を指定する制御信号を生成する工程と、前記制御信号を、前記無線フレームを構成する特定のサブフレームの下り制御チャネルで前記ユーザ端末に送信する工程とを具備することを特徴とする。
【発明の効果】
【００１１】
本発明によれば、隣接する送受信ポイント（無線基地局）で異なるＤＬ／ＵＬ構成を適用する場合であっても、通信品質の劣化を抑制することができる。
【図面の簡単な説明】
【００１２】
【図１】ＴＤＤにおけるＤＬ／ＵＬ構成の一例を説明するための図である。
【図２】隣接する無線基地局間で異なるＤＬ／ＵＬ構成を適用する無線通信システムの一例を示す図である。
【図３】本実施の形態に係る無線通信システムの一例の説明図である。
【図４】本実施の形態に係る無線通信システムでＤＬ／ＵＬサブフレーム情報を通知するための無線フレームの一例の説明図である。
【図５】本実施の形態に係る無線通信システムにおけるＤＬサブフレーム情報の管理テーブルの一例の説明図である。
【図６】本実施の形態に係る無線通信システムにおけるＵＬサブフレーム情報の管理テーブルの一例の説明図である。
【図７】本実施の形態に係る無線通信システムにおけるＤＬ／ＵＬサブフレーム情報の管理テーブルの一例の説明図である。
【図８】本実施の形態に係る無線通信システムにおける通信制御方法を示すシーケンス図の一例である。
【図９】無線基地局の全体構成を説明するための図である。
【図１０】無線基地局のベースバンド処理部に対応した機能ブロック図である。
【図１１】ユーザ端末の全体構成を説明するための図である。
【図１２】ユーザ端末のベースバンド処理部に対応した機能ブロック図である。
【発明を実施するための形態】
【００１３】
まず、図２Ａを参照して、本実施の形態が適用される無線通信システムの一例について説明する。図２Ａに示す無線通信システムは、複数の送受信ポイント（ここでは、無線基地局＃１、＃２）と、各無線基地局＃１、＃２と通信するユーザ端末＃１、＃２とを含んで構成されている。
【００１４】
また、この無線通信システムにおいて、無線基地局＃１とユーザ端末＃１との間（無線基地局＃２とユーザ端末＃２との間）では時間分割複信（ＴＤＤ）により無線通信を行う。つまり、無線基地局＃１、＃２においては、ＤＬとＵＬの送信に同じ周波数領域が適用され、各無線基地局からＤＬとＵＬが時間領域で分割されて送信される。
【００１５】
この場合、上述したように、隣接する無線基地局＃１、＃２間で異なるＤＬ／ＵＬ構成を適用すると、所定のサブフレームにおいて、無線基地局＃１、＃２間の干渉やユーザ端末＃１、＃２間の干渉により通信品質の特性が劣化するおそれがある。
【００１６】
例えば、図２Ｂに示すように、ある期間（ここでは、１無線フレーム）において、無線基地局＃１がＤＬ／ＵＬ  ｃｏｎｆｉｇｕｒａｔｉｏｎ１、無線基地局＃２がＤＬ／ＵＬ  ｃｏｎｆｉｇｕｒａｔｉｏｎ２を適用する場合、サブフレーム＃３、＃８において、無線基地局＃１ではＵＬ伝送が適用され、無線基地局＃２ではＤＬ伝送が適用される。すなわち、同一時間領域、同一周波数領域において、無線基地局＃２からユーザ端末＃２に対して下り信号が送信され、ユーザ端末＃１から無線基地局＃１に対して上り信号が送信される。
【００１７】
この場合、無線基地局＃２からユーザ端末＃２に対して送信される下り信号は、ユーザ端末＃１から無線基地局＃１に対して送信される上り信号への干渉（無線基地局＃１、＃２間の干渉）となる。また、ユーザ端末＃１から無線基地局＃１に対して送信される上り信号は、無線基地局＃２からユーザ端末＃２に対して送信される下り信号への干渉（ユーザ端末＃１、＃２間の干渉）となる。その結果、サブフレーム＃３、＃８において、無線基地局＃１の受信品質、ユーザ端末＃２の受信品質が低下するおそれがある。
【００１８】
そこで、本発明者等は、例えば、各送受信ポイント（無線基地局）間やユーザ端末間の干渉量を考慮して、各無線基地局がＤＬ／ＵＬ構成を適宜制御することにより、隣接する送受信ポイント間で異なるＤＬ／ＵＬ構成を適用する場合であっても、通信品質の劣化を抑制できることを見出した。
【００１９】
以下に、本実施の形態の詳細について、添付図面を参照して詳細に説明する。なお、以下の説明においては、説明の便宜上、２つの送受信ポイント（無線基地局）を例に挙げて説明する。しかしながら、本発明が適用できる送受信ポイント数については、これに限られるものではなく適宜変更が可能である。
【００２０】
図３に本実施の形態に係る無線通信システムの一例を示す。図３の無線通信システムは、複数の送受信ポイント（ここでは、無線基地局＃１、＃２）と、各無線基地局＃１、＃２にそれぞれ接続するユーザ端末＃１、＃２とを含んで構成されている。なお、無線基地局＃１、＃２同士は、光ファイバ等の有線接続、又は無線接続により情報の伝達を行うことができる。
【００２１】
無線基地局＃１とユーザ端末＃１との間、無線基地局＃２とユーザ端末＃２との間の無線通信としては、時間分割複信（ＴＤＤ）が適用される。また、図３に示す無線通信システムでは、無線基地局＃１、＃２がそれぞれ個別に（独立して）ＤＬとＵＬの送信比率（ＤＬ／ＵＬ構成）を時間領域で変動して制御している。この場合、各無線基地局＃１、＃２は、予め規定されたＤＬ／ＵＬ構成の中から任意のＤＬ／ＵＬ構成を選択する。なお、各無線基地局＃１、＃２で選択されるＤＬ／ＵＬ構成の詳細については後述する。
【００２２】
隣接する無線基地局＃１、＃２間で異なるＤＬ／ＵＬ構成が適用される場合、隣接する無線基地局間（又は、セル間）において、下り信号と上り信号が同じ周波数領域・同じ時間領域で送信される。例えば、図３に示す他の無線基地局＃２からユーザ端末＃２に対して送信される下り信号は、ユーザ端末＃１からの上り信号を受信する無線基地局＃１にとって干渉信号となる。このような干渉信号の存在により、無線通信システム全体における通信品質が劣化する。
【００２３】
そこで、本実施の形態に係る無線通信システムでは、各無線基地局が、無線フレーム単位で適用されるＤＬ／ＵＬ構成を動的に切り替えて配下のユーザ端末と通信を行う。各無線基地局は、例えば、他の無線基地局から受ける干渉量に基づいて、他の無線基地局に対してＤＬ／ＵＬ構成の変更を要求する。これにより、他の無線基地局との間で共通のＤＬ／ＵＬ構成を適用して配下のユーザ端末と通信を行う。この結果、無線基地局間及びユーザ端末間の干渉の影響を低減させ、無線通信システム全体の通信品質の劣化を抑制する。
【００２４】
ＤＬ／ＵＬ構成を動的に切り替える際、各無線基地局は、無線フレームの特定のサブフレームに割り当てられる下り制御チャネル（ＰＤＣＣＨ、ｅＰＤＣＣＨ）等で、ＤＬ及び／又はＵＬ伝送用のサブフレームに関する情報（以下、「ＤＬ／ＵＬサブフレーム情報」という）を通知する。このＤＬ／ＵＬサブフレーム情報には、ＤＬ及び／又はＵＬ伝送用のサブフレームの数及び位置が含まれる。ユーザ端末は、この下り制御チャネルを復調することで、自端末宛ての下りデータチャネル（ＰＤＳＣＨ）が割り当てられたサブフレームや、上り制御チャネル（ＰＵＣＣＨ）及び上りデータチャネル（ＰＵＳＣＨ）を割り当てるサブフレームを特定できる。
【００２５】
なお、ＰＤＣＣＨ（下り制御チャネル）は、サブフレームの先頭から所定のＯＦＤＭシンボル（１〜３ＯＦＤＭシンボル）に配置する下り制御チャネルであり、ＰＤＳＣＨ（下り共有データチャネル）と時間分割多重する制御チャネルである。また、ｅＰＤＣＣＨ（拡張下り制御チャネル、Ｅ−ＰＤＣＣＨ、Ｅｎｈａｎｃｅｄ  ＰＤＣＣＨ、ＦＤＭ型ＰＤＣＣＨ、ＵＥ−ＰＤＣＣＨ等とも呼ぶ）は、ＰＤＳＣＨと周波数分割多重するように配置する制御チャネルである。
【００２６】
図４は、本実施の形態に係る無線通信システムでＤＬ／ＵＬサブフレーム情報を通知するための無線フレームの一例の説明図である。例えば、ＤＬ／ＵＬサブフレーム情報は、無線フレームの先頭のサブフレーム（サブフレーム＃０）に割り当てられる下り制御チャネル（ＰＤＣＣＨ、ｅＰＤＣＣＨ）で通知される。このようにＤＬ／ＵＬサブフレーム情報が割り当てられるサブフレームを、予め無線フレームの特定のサブフレームに設定しておくことにより、特定のサブフレームをユーザ端末に事前に通知する必要がなくなる。これにより、各無線基地局からユーザ端末にＤＬ／ＵＬサブフレーム情報を通知する際の制御を簡素化できる。
【００２７】
なお、ＤＬ／ＵＬサブフレーム情報が割り当てられるサブフレームについては、先頭のサブフレーム＃０に限定されない。例えば、先頭のサブフレーム＃０以外のサブフレームに割り当てることも可能である。また、報知信号、上位レイヤシグナリング（例えば、ＲＲＣシグナリング）等により、ＤＬ／ＵＬサブフレーム情報が割り当てられるサブフレームをユーザ端末に通知することも可能である。このように報知信号やＲＲＣシグナリングでＤＬ／ＵＬサブフレーム情報が割り当てられる特定のサブフレームを通知することにより、通信環境に応じてＤＬ／ＵＬサブフレーム情報が割り当てられるサブフレームを柔軟に変更できる。
【００２８】
本実施の形態に係る無線通信システムにおいて、ＤＬ／ＵＬサブフレーム情報に含まれるＤＬ及び／又はＵＬ伝送用のサブフレームの数及び位置は予め規定される。例えば、ＤＬ及び／又はＵＬ伝送用のサブフレームの数及び位置は、テーブル管理される。その管理テーブルでは、ＤＬ及び／又はＵＬ伝送用のサブフレームの数に関連付けてサブフレームの位置が規定される。このようにＤＬ及び／又はＵＬ伝送用のサブフレームの数及び位置を予め規定することにより、下り制御チャネル信号（制御信号）を生成する度にＤＬ及び／又はＵＬ伝送用に割り当てられるサブフレームの数及び位置を決定する必要がなくなる。これにより、下り制御チャネル信号を生成する際の処理を簡素化することが可能となる。また、各無線基地局同士で共通のＤＬ／ＵＬ構成を選択する際の制御を簡素化できる。
【００２９】
図５及び図６は、本実施の形態に係る無線通信システムにおけるＤＬ／ＵＬサブフレーム情報の管理テーブルの一例の説明図である。図５は、ＤＬサブフレーム情報の管理テーブルの一例を示している。図６は、ＵＬサブフレーム情報の管理テーブルの一例を示している。なお、ＤＬ／ＵＬサブフレーム情報の管理テーブルの構成については、図５及び図６に示す内容に限定されない。
【００３０】
図５及び図６に示すように、管理テーブルには、ＤＬ／ＵＬ構成（ｃｏｎｆｉｇｕｒａｔｉｏｎ）のパターン番号（ｃｏｎｆｉｇｕｒａｔｉｏｎパターン番号）と、ＤＬ又はＵＬ伝送用のサブフレーム数と、ＤＬ又はＵＬ伝送用のサブフレームに割り当てられるサブフレーム番号（すなわち、ＤＬ又はＵＬ伝送用のサブフレームの位置）とが規定されている。なお、いずれの管理テーブルも、サブフレーム＃１は、特別サブフレームとして指定される。このため、サブフレーム＃１がＤＬ又はＵＬ伝送用のサブフレームに割り当てられることはない。
【００３１】
図５に示すように、ＤＬサブフレーム情報の管理テーブルにおいて、サブフレーム数が１である場合（パターン番号＃０の場合）、サブフレーム＃０のみにＤＬ伝送用のサブフレームが割り当てられる。また、サブフレーム数が２である場合（パターン番号＃１の場合）、サブフレーム＃０、＃３にＤＬ伝送用のサブフレームが割り当てられる。そして、サブフレーム数が１つずつ増えるにつれて、サブフレーム＃４以降において、ＤＬ伝送用のサブフレームが割り当てられるサブフレームが１つずつ増える。なお、サブフレーム数が８である場合（パターン番号＃７の場合）、サブフレーム＃１、＃２以外の全てのサブフレームにＤＬ伝送用のサブフレームが割り当てられる。
【００３２】
一方、図６に示すように、ＵＬサブフレーム情報の管理テーブルにおいて、サブフレーム数が１である場合（パターン番号＃１０の場合）、サブフレーム＃２のみにＵＬ伝送用のサブフレームが割り当てられる。また、サブフレーム数が２である場合（パターン番号＃１１の場合）、サブフレーム＃２、＃３にＵＬ伝送用のサブフレームが割り当てられる。そして、サブフレーム数が１つずつ増えるにつれて、サブフレーム＃４以降において、ＵＬ伝送用のサブフレームが割り当てられるサブフレームが１つずつ増える。なお、サブフレーム数が８である場合（パターン番号＃１７の場合）、サブフレーム＃０、＃１以外の全てのサブフレームにＵＬ伝送用のサブフレームが割り当てられる。
【００３３】
図７は、ＤＬサブフレーム情報及びＵＬサブフレーム情報の双方を管理する管理テーブルの一例を示している。なお、図７においては、３つ以下のＵＬサブフレーム情報が割り当てられた場合について示している。図７に示す管理テーブルでは、サブフレーム数に、ＤＬ伝送用のサブフレーム数と、ＵＬ伝送用のサブフレーム数とが規定される。また、図７に示す管理テーブルでは、図５に示すＤＬサブフレーム情報の管理テーブルと同様の態様でＤＬ伝送用のサブフレームが割り当てられると共に、それ以外のサブフレームにＵＬ伝送用のサブフレームが割り当てられている。ＤＬ伝送用／ＵＬ伝送用のサブフレーム数がそれぞれ１、３である場合（パターン番号＃２０の場合）、サブフレーム＃０のみにＤＬ伝送用のサブフレームが割り当てられ、サブフレーム＃２〜＃４にＵＬ伝送用のサブフレームが割り当てられる。一方、ＤＬ伝送用／ＵＬ伝送用のサブフレーム数がそれぞれ７、２である場合（パターン番号＃２６の場合）、サブフレーム＃０、＃３〜＃８にＤＬ伝送用のサブフレームが割り当てられ、サブフレーム＃２、＃９にＵＬ伝送用のサブフレームが割り当てられる。
【００３４】
これらの管理テーブルは、各無線基地局で管理される。すなわち、各無線基地局は、これらの管理テーブルを共有している。図７に示す例では、３つ以下のＵＬサブフレーム情報が割り当てられる、ＤＬ／ＵＬサブフレーム情報の管理テーブルを示している。これに加え、各無線基地局においては、３つ以外の数のＵＬサブフレーム情報が割り当てられる、ＤＬ／ＵＬサブフレーム情報の管理テーブルも共有している。
【００３５】
各無線基地局は、それぞれ個別に（独立して）ＤＬ／ＵＬ構成を時間領域で変動して制御する。この場合において、各無線基地局は、上記管理テーブルを利用しながら、動的にＤＬ／ＵＬ構成を切り替える。例えば、送受信ポイント（無線基地局）間で干渉が発生した場合に、他の無線基地局との間で共通のＤＬ／ＵＬ構成を選択する。そして、各無線基地局は、選択したＤＬ／ＵＬ構成に対応するＤＬ／ＵＬサブフレーム情報を、下り制御チャネルで配下のユーザ端末に通知する。より具体的には、ＤＬ／ＵＬサブフレーム情報を指定した制御信号を下り制御チャネルで配下のユーザ端末に送信する。
【００３６】
選択されたＤＬ／ＵＬ構成に対応するＤＬ伝送用のサブフレーム数及び位置は、例えば、下り制御チャネルで送信される下り制御情報（ＤＣＩ）内のＤＬ  ａｓｓｉｇｎｍｅｎｔに含めることができる。このようにＤＣＩ内のＤＬ  ａｓｓｉｇｎｍｅｎｔに、ＤＬ伝送用のサブフレームの数及び位置を指定することにより、既存の仕様に大幅な修正を必要とすることなく、ＤＬ伝送用のサブフレームの数及び位置をユーザ端末に通知できる。
【００３７】
一方、選択されたＤＬ／ＵＬ構成に対応するＵＬ伝送用のサブフレーム数及び位置は、例えば、下り制御チャネルで送信される下り制御情報（ＤＣＩ）内のＵＬ  ｇｒａｎｔに含めることができる。このようにＤＣＩ内のＵＬ  ｇｒａｎｔに、ＵＬ伝送用のサブフレームの数及び位置を指定することにより、既存の仕様に大幅な修正を必要とすることなく、ＵＬ伝送用のサブフレームの数及び位置をユーザ端末に通知できる。
【００３８】
例えば、図５に示す管理テーブルのパターン番号＃２のＤＬ／ＵＬ構成が選択される場合、各無線基地局は、下り制御情報（ＤＣＩ）内のＤＬ  ａｓｓｉｇｎｍｅｎｔにサブフレームの数（３つ）と、その位置（サブフレーム＃０、＃３及び＃４）を含める。また、図６に示す管理テーブルのパターン番号＃１２のＤＬ／ＵＬ構成が選択される場合、各無線基地局は、下り制御情報（ＤＣＩ）内のＵＬ  ｇｒａｎｔにサブフレームの数（３つ）と、その位置（サブフレーム＃２、＃３及び＃４）を含める。さらに、図７に示す管理テーブルのパターン番号＃２２のＤＬ／ＵＬ構成が選択される場合、各無線基地局は、下り制御情報（ＤＣＩ）内のＤＬ  ａｓｓｉｇｎｍｅｎｔにサブフレームの数（３つ）と、その位置（サブフレーム＃０、＃３及び＃４）を含め、ＵＬ  ｇｒａｎｔにサブフレームの数（３つ）と、その位置（サブフレーム＃２、＃５及び＃６）を含める。
【００３９】
以下に、図８を参照して、本実施の形態に係る無線通信システムにおける通信制御方法のシーケンスの一例を示す。ここでは、図３に示す無線基地局＃１が、他の無線基地局＃２からの干渉量に基づいて、他の無線基地局＃２に対してＤＬ／ＵＬ構成の変更要求（以下、単に「変更要求」とも記す）を通知する場合について説明する。なお、以下の説明においては、無線基地局＃１（図３における被干渉局）が他の無線基地局＃２（図３における与干渉局）に対して変更要求信号を送信する場合を示すが、他の無線基地局＃２も無線基地局＃１と同様の処理を行うことができる。
【００４０】
まず、無線基地局＃１は、他の無線基地局＃２からの干渉量を測定する（ステップＳ１０１）。なお、本実施の形態における干渉量とは、パスロス、ペネトレーションロス、アンテナゲイン等を指している。例えば、上りチャネル（無線基地局＃１とユーザ端末＃１間）のパスロスを測定することができる。なお、他の無線基地局が複数存在する場合、得られる干渉量は他の複数の無線基地局からの干渉量の合計値となる。
【００４１】
また、ステップＳ１０１において、無線基地局＃１は、測定した干渉量が、干渉量に関する所定基準値（閾値＃１）より大きいか否か判断する。閾値＃１は、他の無線基地局＃２から無線基地局＃１に対する干渉の影響を判断するための基準値である。無線基地局＃１は、この閾値＃１に基づいてＤＬ／ＵＬ構成の変更要求の要否を判断する。
【００４２】
なお、所定基準値（閾値＃１）は、各無線基地局で共通としてもよいし、異なっていてもよい。また、所定基準値（閾値＃１）は、報知信号、上位レイヤシグナリング（例えば、ＲＲＣシグナリング）等により無線基地局＃１に通知する構成とすることができる。また、Ｘ２シグナリングや光ファイバーを介して無線基地局＃１に通知されていてもよい。さらに、予め無線基地局＃１の記憶部に閾値＃１を記憶しておき、記憶された閾値＃１を適用することも可能である。
【００４３】
他の無線基地局＃２からの干渉量が所定基準値（閾値＃１）より大きい場合、他の無線基地局＃２から送信される下り信号が、ユーザ端末＃１から送信される上り信号を受信する無線基地局＃１に対して影響を及ぼすこととなる。この場合、無線基地局＃１は、他の無線基地局＃２に対して、ＤＬ／ＵＬ構成の変更を要求する（ステップＳ１０２）。
【００４４】
具体的にいうと、無線基地局＃１は、他の無線基地局＃２に対して、無線基地局＃１と同一のＤＬ／ＵＬ構成を適用するように、ＤＬ／ＵＬ構成の変更を要求する変更要求信号を送信する。なお、この変更要求信号には、変更後のＤＬ／ＵＬ構成（すなわち、無線基地局＃１と同一のＤＬ／ＵＬ構成）のパターン番号が含まれる。
【００４５】
無線基地局＃１から、変更要求信号を受信した他の無線基地局＃２は、変更要求信号に含まれるＤＬ／ＵＬ構成のパターン番号に対応するＤＬ／ＵＬ構成を選択する（ステップＳ１０３）。また、ステップＳ１０３において、無線基地局＃２は、現在適用されているＤＬ／ＵＬ構成を、選択したＤＬ／ＵＬ構成に変更する。
【００４６】
これにより、無線基地局＃２で適用されるＤＬ／ＵＬ構成が、無線基地局＃１で適用されるＤＬ／ＵＬ構成と同一のＤＬ／ＵＬ構成に変更される。なお、変更後のＤＬ／ＵＬ構成では、同一時間領域、同一周波数領域において、共通のＤＬ伝送又はＵＬ伝送が行われる。このため、無線基地局＃１、＃２間の干渉及びユーザ端末＃１、＃２間の干渉の発生が低減される。
【００４７】
そして、各無線基地局＃１、＃２は、適用されるＤＬ／ＵＬ構成に対応するＤＬ／ＵＬサブフレーム情報を指定した制御信号を生成する。そして、生成した制御信号を無線フレームの特定のサブフレームの下り制御チャネルで配下のユーザ端末＃１、＃２に送信する。ユーザ端末＃１、＃２は、この制御信号を受信し、制御信号で指定されたＤＬ／ＵＬサブフレーム情報を解析する。その後、各無線基地局＃１、＃２は、他の無線基地局から通知された変更要求を反映したＤＬ／ＵＬ構成を適用して、配下のユーザ端末＃１、＃２とそれぞれ無線通信を行う（ステップＳ１０４ａ、１０４ｂ）。
【００４８】
本実施の形態に係る無線通信システムにおいては、無線フレームを構成するサブフレームのうち、ＤＬ／ＵＬサブフレーム情報を指定する制御信号が、当該無線フレームの特定のサブフレーム（例えば、先頭のサブフレーム）の下り制御チャネルで送信される。これにより、無線フレーム単位で適用されるＤＬ／ＵＬ構成を動的に切り替えることができる。この結果、隣接する送受信ポイント（無線基地局）で異なるＤＬ／ＵＬ構成を適用する場合であっても、適宜、ＤＬ／ＵＬ構成を切替制御することで無線基地局間及びユーザ端末間の干渉の影響を低減でき、通信品質の劣化を抑制することが可能となる。
【００４９】
特に、本実施の形態に係る無線通信システムにおいては、他の無線基地局からＤＬ／ＵＬ構成の変更を要求する変更要求信号を受信した場合に、ＤＬ／ＵＬサブフレーム情報を指定する制御信号が生成される。このため、ＤＬ／ＵＬ構成の変更が必要な場合に限ってＤＬ／ＵＬ構成を切り替えることができる。この結果、隣接する送受信ポイント（無線基地局）で異なるＤＬ／ＵＬ構成を適用しつつ、必要に応じて無線基地局間及びユーザ端末間の干渉の影響を低減することが可能となる。
【００５０】
図８に示すシーケンスについて、具体例を用いて説明する。例えば、ある期間（ここでは、１無線フレーム）において、無線基地局＃１が図７に示すパターン番号＃２１のＤＬ／ＵＬ構成を適用し、無線基地局＃２が図７に示すパターン番号＃２２のＤＬ／ＵＬ構成を適用するものとする。この場合、サブフレーム＃４において、無線基地局＃２ではＤＬ伝送が適用され、無線基地局＃１ではＵＬ伝送が適用される。すなわち、同一時間領域、同一周波数領域において、無線基地局＃２からユーザ端末＃２に対して下り信号が送信され、ユーザ端末＃１から無線基地局＃１に対して上り信号が送信される。
【００５１】
無線基地局＃２からユーザ端末＃２に対して送信される下り信号は、ユーザ端末＃１から無線基地局＃１に対して送信される上り信号への干渉（無線基地局＃１、＃２間の干渉）となる。また、ユーザ端末＃１から無線基地局＃１に対して送信される上り信号は、無線基地局＃２からユーザ端末＃２に対して送信される下り信号への干渉（ユーザ端末＃１、＃２間の干渉）となる。無線基地局＃１は、これらの干渉量を測定する（ステップＳ１０１）。ここでは、これらの干渉に起因する干渉量が、所定基準値より大きいものとする。
【００５２】
この場合、無線基地局＃１は、他の無線基地局＃２に対して、無線基地局＃１と同一のＤＬ／ＵＬ構成を適用するように、ＤＬ／ＵＬ構成の変更を要求する変更要求信号を送信する（ステップＳ１０２）。この変更要求信号には、変更後のＤＬ／ＵＬ構成（すなわち、無線基地局＃１と同じＤＬ／ＵＬ構成）のパターン番号＃２１が含まれる。
【００５３】
他の無線基地局＃２は、この変更要求信号に含まれるＤＬ／ＵＬ構成のパターン番号＃２１に対応するＤＬ／ＵＬ構成を選択する（ステップＳ１０３）。そして、他の無線基地局＃２は、選択したＤＬ／ＵＬ構成をこれ以降のＤＬ／ＵＬ構成に適用する。この場合、無線基地局＃１及び無線基地局＃２で適用されるＤＬ／ＵＬ構成が、共に図７に示すパターン番号＃２１のＤＬ／ＵＬ構成となる。これにより、干渉の原因となっていたサブフレーム＃４において、無線基地局＃１及び無線基地局＃２でＵＬ伝送が適用される。このため、無線基地局＃１、＃２間の干渉及びユーザ端末＃１、＃２間の干渉の発生が低減される。
【００５４】
そして、各無線基地局＃１、＃２は、パターン番号＃２１のＤＬ／ＵＬ構成に対応するＤＬ／ＵＬサブフレーム情報を指定した制御信号を生成する。そして、生成した制御信号を無線フレームの特定のサブフレームの下り制御チャネルで配下のユーザ端末＃１、＃２に送信する。ユーザ端末＃１、＃２は、この制御信号を受信し、制御信号で指定されたＤＬ／ＵＬサブフレーム情報を解析する。その後、各無線基地局＃１、＃２は、図７に示すパターン番号＃２１のＤＬ／ＵＬ構成を適用して、配下のユーザ端末＃１、＃２とそれぞれ無線通信を行う（ステップＳ１０４ａ、１０４ｂ）。
【００５５】
以下に、図９を参照しながら、本実施の形態に係る無線基地局２０の全体構成について説明する。図９に示すように、無線基地局２０は、送受信アンテナ２０１と、アンプ部２０２と、送受信部（送信部／受信部）２０３と、ベースバンド信号処理部２０４と、呼処理部２０５と、伝送路インターフェース２０６とを備えている。下りリンクにより無線基地局２０からユーザ端末に送信される送信データは、上位局装置から伝送路インターフェース２０６を介してベースバンド信号処理部２０４に入力される。
【００５６】
ベースバンド信号処理部２０４において、下りデータチャネルの信号は、ＰＤＣＰレイヤの処理、送信データの分割・結合、ＲＬＣ（Ｒａｄｉｏ  Ｌｉｎｋ  Ｃｏｎｔｒｏｌ）再送制御の送信処理などのＲＬＣレイヤの送信処理、ＭＡＣ（Ｍｅｄｉｕｍ  Ａｃｃｅｓｓ  Ｃｏｎｔｒｏｌ）再送制御、例えば、ＨＡＲＱの送信処理、スケジューリング、伝送フォーマット選択、チャネル符号化、逆高速フーリエ変換（ＩＦＦＴ）処理、プリコーディング処理が行われる。また、下りリンク制御チャネルである物理下りリンク制御チャネルの信号に関しても、チャネル符号化や逆高速フーリエ変換等の送信処理が行われる。
【００５７】
また、ベースバンド信号処理部２０４は、報知チャネルにより、同一セルに接続するユーザ端末に対して、各ユーザ端末が無線基地局２０との無線通信するための制御情報を通知する。当該セルにおける通信のための情報には、例えば、上りリンク又は下りリンクにおけるシステム帯域幅や、ＰＲＡＣＨ（Ｐｈｙｓｉｃａｌ  Ｒａｎｄｏｍ  Ａｃｃｅｓｓ  Ｃｈａｎｎｅｌ）におけるランダムアクセスプリアンブルの信号を生成するためのルート系列の識別情報（Ｒｏｏｔ  Ｓｅｑｕｅｎｃｅ  Ｉｎｄｅｘ）などが含まれる。
【００５８】
送受信部２０３は、ベースバンド信号処理部２０４から出力されたベースバンド信号を無線周波数帯に変換する。アンプ部２０２は周波数変換された無線周波数信号を増幅して送受信アンテナ２０１へ出力する。
【００５９】
一方、上りリンクによりユーザ端末から無線基地局２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００６０】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置に転送される。
【００６１】
呼処理部２０５は、通信チャネルの設定や解放等の呼処理や、無線基地局２０の状態管理や、無線リソースの管理を行う。
【００６２】
図１０は、図９に示す無線基地局におけるベースバンド信号処理部２０４の構成を示すブロック図である。図１０に示すように、ベースバンド信号処理部２０４は、レイヤ１処理部２０４１と、ＭＡＣ処理部２０４２と、ＲＬＣ処理部２０４３と、干渉量測定部２０４４と、変更要求信号生成部２０４５と、ＤＬ／ＵＬ構成選択部２０４６と、制御信号生成部２０４７と、から主に構成されている。なお、制御信号生成部２０４７は、信号生成部を構成する。
【００６３】
レイヤ１処理部２０４１は、主に物理レイヤに関する処理を行う。レイヤ１処理部２０４１は、例えば、上りリンクで受信した信号に対して、チャネル復号化、離散フーリエ変換（ＤＦＴ：Ｄｉｓｃｒｅｔｅ  Ｆｏｕｒｉｅｒ  Ｔｒａｎｓｆｏｒｍ）、周波数デマッピング、逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）、データ復調などの処理を行う。また、レイヤ１処理部２０４１は、下りリンクで送信する信号に対して、チャネル符号化、データ変調、周波数マッピング、逆高速フーリエ変換（ＩＦＦＴ）などの処理を行う。
【００６４】
ＭＡＣ処理部２０４２は、上りリンクで受信した信号に対するＭＡＣレイヤでの再送制御、上りリンク／下りリンクに対するスケジューリング、ＰＵＳＣＨ／ＰＤＳＣＨの伝送フォーマットの選択、ＰＵＳＣＨ／ＰＤＳＣＨのリソースブロックの選択などの処理を行う。
【００６５】
ＲＬＣ処理部２０４３は、上りリンクで受信したパケット／下りリンクで送信するパケットに対して、パケットの分割、パケットの結合、ＲＬＣレイヤでの再送制御などを行う。
【００６６】
干渉量測定部２０４４は、他の無線基地局からの干渉量を測定する。例えば、図３に示す例では、無線基地局＃１における干渉量測定部２０４４は、他の無線基地局＃２からの干渉量を測定する。干渉量の測定には、パスロス、ペネトレーションロス、アンテナゲイン等を用いることができ、例えば、上りチャネル（無線基地局＃１とユーザ端末＃１間）のパスロスを測定することができる。
【００６７】
変更要求信号生成部２０４５は、干渉量測定部２０４４で測定した干渉量に基づいて、他の無線基地局に対してＤＬ／ＵＬ構成の変更を要求する変更要求信号を生成する。例えば、図３に示す例では、無線基地局＃１における変更要求信号生成部２０４５は、他の無線基地局＃２からの干渉量が所定基準値（閾値＃１）より大きいか否か判断し、大きい場合には変更要求信号を生成する。
【００６８】
この場合、無線基地局＃１における変更要求信号生成部２０４５は、他の無線基地局＃２に対して、無線基地局＃１と同じＤＬ／ＵＬ構成を適用するように、ＤＬ／ＵＬ構成の変更を要求する変更要求信号を生成する。なお、この変更要求信号には、予め規定されたＤＬ／ＵＬ構成のパターン番号が含まれる（図５〜図７参照）。例えば、変更要求信号生成部２０４５は、図５〜図７に示す管理テーブルを参照して、ＤＬ／ＵＬ構成のパターン番号を特定する。変更要求信号生成部２０４５で生成された変更要求信号は、有線又は無線により他の無線基地局＃２に送信される。
【００６９】
ＤＬ／ＵＬ構成選択部２０４６は、他の無線基地局から送信された変更要求信号に基づいて、ＤＬ／ＵＬ構成を選択する。具体的には、ＤＬ／ＵＬ構成選択部２０４６は、変更要求信号で指定されたＤＬ／ＵＬ構成のパターン番号に応じてＤＬ／ＵＬ構成を選択する。例えば、ＤＬ／ＵＬ構成選択部２０４６は、図５〜図７に示す管理テーブルを参照して、ＤＬ／ＵＬ構成を選択する。
【００７０】
制御信号生成部２０４７は、ＤＬ／ＵＬ構成選択部２０４６で選択されたＤＬ／ＵＬ構成に基づいて、無線フレームにおけるＤＬ／ＵＬサブフレーム情報を指定する制御信号（下り制御チャネル信号：ＰＤＣＣＨ、ｅＰＤＣＣＨ）を生成する。ＤＬ／ＵＬサブフレーム情報には、ＤＬ及び／又はＵＬ伝送用のサブフレームの数及び位置が含まれる。例えば、図７に示す管理テーブルのパターン番号＃２２のＤＬ／ＵＬ構成が選択される場合、制御信号生成部２０４７は、下り制御情報（ＤＣＩ）内のＤＬ  ａｓｓｉｇｎｍｅｎｔにＤＬ用のサブフレームの数（３つ）と、その位置（サブフレーム＃０、＃３及び＃４）を含み、ＵＬ  ｇｒａｎｔにＵＬ用のサブフレームの数（３つ）と、その位置（サブフレーム＃２、＃５及び＃６）を含む制御信号を生成する。
【００７１】
制御信号生成部２０４７で生成された制御信号は、レイヤ１処理部２０４１に出力される。レイヤ１処理部２０４１は、この制御信号を、無線フレームを構成する特定のサブフレームの下り制御チャネル（ＰＤＣＣＨ、ｅＰＤＣＣＨ）に割り当てる。例えば、レイヤ１処理部２０４１は、無線フレームの先頭のサブフレーム＃０の下り制御チャネル（ＰＤＣＣＨ、ｅＰＤＣＣＨ）に、ＤＬ／ＵＬサブフレーム情報を指定する制御信号を割り当てる。この制御信号は、送信部としての送受信部２０３を介してユーザ端末に送信される。
【００７２】
次に、図１１を参照しながら、本実施の形態に係るユーザ端末１０の全体構成について説明する。図１１に示すように、ユーザ端末１０は、送受信アンテナ１０１と、アンプ部１０２と、送受信部（送信部／受信部）１０３と、ベースバンド信号処理部１０４と、アプリケーション部１０５とを備えている。
【００７３】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００７４】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。
【００７５】
図１２は、図１１に示すユーザ端末１０におけるベースバンド信号処理部１０４の構成を示すブロック図である。図１２に示すように、ベースバンド信号処理部１０４は、レイヤ１処理部１０４１と、ＭＡＣ処理部１０４２と、ＲＬＣ処理部１０４３と、サブフレーム情報解析部１０４４と、から主に構成されている。
【００７６】
レイヤ１処理部１０４１は、主に物理レイヤに関する処理を行う。レイヤ１処理部１０４１は、例えば、下りリンクで受信した信号に対して、チャネル復号化、離散フーリエ変換（ＤＦＴ）、周波数デマッピング、逆高速フーリエ変換（ＩＦＦＴ）、データ復調などの処理を行う。また、レイヤ１処理部１０４１は、上りリンクで送信する信号に対して、チャネル符号化、データ変調、周波数マッピング、逆高速フーリエ変換（ＩＦＦＴ）などの処理を行う。
【００７７】
例えば、ＤＬ／ＵＬサブフレーム情報を指定するサブフレームが無線フレームの先頭のサブフレーム＃０に割り当てられる場合、レイヤ１処理部１０４１は、このサブフレームの下り制御チャネルに割り当てられた制御信号を復調する。そして、その復調結果をサブフレーム情報解析部１０４４に出力する。なお、ＤＬ／ＵＬサブフレーム情報を指定するサブフレームが報知信号や、ＲＲＣシグナリングで通知される場合には、通知されたサブフレームの下り制御チャネルに割り当てられた制御信号を復調し、その復調結果をサブフレーム情報解析部１０４４に出力する。
【００７８】
ＭＡＣ処理部１０４２は、下りリンクで受信した信号に対するＭＡＣレイヤでの再送制御（ＨＡＲＱ）、下りスケジューリング情報の解析（ＰＤＳＣＨの伝送フォーマットの特定、ＰＤＳＣＨのリソースブロックの特定）などを行う。また、ＭＡＣ処理部１０４２は、上りリンクで送信する信号に対するＭＡＣ再送制御、上りスケジューリング情報の解析（ＰＵＳＣＨの伝送フォーマットの特定、ＰＵＳＣＨのリソースブロックの特定）などの処理を行う。
【００７９】
ＲＬＣ処理部１０４３は、下りリンクで受信したパケット／上りリンクで送信するパケットに対して、パケットの分割、パケットの結合、ＲＬＣレイヤでの再送制御などを行う。
【００８０】
サブフレーム情報解析部１０４４は、レイヤ１処理部１０４１から入力された復調結果から、制御信号で指定されたＤＬ／ＵＬサブフレーム情報を解析する。例えば、サブフレーム情報解析部１０４４は、制御信号のＤＣＩ内のＤＬ  ａｓｓｉｇｎｍｅｎｔから、ＤＬ伝送用のサブフレーム数及び位置を取得する。また、制御信号のＤＣＩ内のＵＬ  ｇｒａｎｔから、ＵＬ伝送用のサブフレーム数及び位置を取得する。
【００８１】
サブフレーム情報解析部１０４４で解析されたＤＬ／ＵＬサブフレーム情報は、レイヤ１処理部１０４１に出力される。レイヤ１処理部１０４１は、ＤＬ／ＵＬサブフレーム情報で指定されるＤＬ伝送用のサブフレームで受信した信号に対して、チャネル復号化、離散フーリエ変換（ＤＦＴ）、周波数デマッピング、逆高速フーリエ変換（ＩＦＦＴ）、データ復調などの処理を行う。また、レイヤ１処理部１０４１は、ＤＬ／ＵＬサブフレーム情報で指定されるＵＬ伝送用のサブフレームで送信する信号に対して、チャネル符号化、データ変調、周波数マッピング、逆高速フーリエ変換（ＩＦＦＴ）などの処理を行う。
【００８２】
以上のように、本実施の形態に係る無線通信システムにおいては、隣接する無線基地局間で異なるＤＬ／ＵＬ構成を適用する場合であっても、各無線基地局２０が、適用されるＤＬ／ＵＬ構成を無線フレーム単位で動的に切り替えて配下のユーザ端末１０と通信を行う。例えば、各無線基地局２０は、他の無線基地局から受ける干渉量に基づいて、他の無線基地局との間で共通のＤＬ／ＵＬ構成を選択して配下のユーザ端末１０と通信を行う。これにより、無線基地局２０間及びユーザ端末１０間の干渉の影響を低減させ、無線通信システム全体の通信品質の劣化を抑制することができる。
【００８３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８４】
１０  ユーザ端末
２０  無線基地局
１０１  送受信アンテナ
１０２  アンプ部
１０３  送受信部
１０４  ベースバンド信号処理部
１０５  アプリケーション部
２０１  送受信アンテナ
２０２  アンプ部
２０３  送受信部
２０４  ベースバンド信号処理部
２０５  呼処理部
２０６  伝送路インターフェース
１０４１、２０４１  レイヤ１処理部
１０４２、２０４２  ＭＡＣ処理部
１０４３、２０４３  ＲＬＣ処理部
１０４４  サブフレーム情報解析部
２０４４  干渉量測定部
２０４５  変更要求信号生成部
２０４６  ＤＬ／ＵＬ構成選択部
２０４７  制御信号生成部
【図１】
2013251860.tif 000003
【図２】
2013251860.tif 000004
【図３】
2013251860.tif 000005
【図４】
2013251860.tif 000006
【図５】
2013251860.tif 000007
【図６】
2013251860.tif 000008
【図７】
2013251860.tif 000009
【図８】
2013251860.tif 000010
【図９】
2013251860.tif 000011
【図１０】
2013251860.tif 000012
【図１１】
2013251860.tif 000013
【図１２】
2013251860.tif 000014